(57)【要約】  本発明は、制御情報の送信方法に関する。この方法は、基地局が、第１のユーザ端末（ＵＥ）が前記第１のＵＥの下りデータを復調するための前記第１のＵＥの復調情報と、前記第１のＵＥが第１のＵＥと対になる第２のＵＥの下りデータを復調するための前記第２のＵＥの復調補助情報とを決定し、第２のＵＥの復調補助情報の長さを決定し、第１の下り制御メッセージを介して、第１のＵＥの復調情報と、第２のＵＥの復調補助情報の長さとを第１のＵＥに送信し、第２の下り制御メッセージを介して、第２のＵＥの復調補助情報を第１のＵＥに送信する、ことを含み、ここで、前記第１のＵＥが、前記第２のＵＥの復調補助情報の長さに基づいて、前記第２の下り制御メッセージを受信する。本発明は、制御情報の受信方法、並びに、相応の基地局およびユーザ端末にも関する。
2019512182.tif 000002
【特許請求の範囲】
【請求項１】
制御情報の送信方法であって、
基地局が、ユーザスケジューリングを行って、第１のユーザ端末（ＵＥ）と対になる第２のＵＥを決定した後、前記第１のＵＥが前記第１のＵＥの下りデータを復調するための前記第１のＵＥの復調情報と、前記第１のＵＥが第２のＵＥの下りデータを復調するための前記第２のＵＥの復調補助情報とを決定し、
前記基地局が、第２のＵＥの復調補助情報の長さを決定し、
前記基地局が、第１の下り制御メッセージを介して、第１のＵＥの復調情報と、第２のＵＥの復調補助情報の長さとを第１のＵＥに送信し、
前記基地局が、第２の下り制御メッセージを介して、第２のＵＥの復調補助情報を第１のＵＥに送信する、ことを含み、
前記第１のＵＥが、前記第２のＵＥの復調補助情報の長さに基づいて、前記第２の下り制御メッセージを受信する、
ことを特徴とする方法。
【請求項２】
前記第１のＵＥの復調情報には、復調参照信号情報、変調符号化方式情報、ハイブリッド自動再送要求情報のうちの１つまたはそれらの組み合わせが含まれるが、リソース割当情報が含まれない、
ことを特徴とする請求項１に記載の方法。
【請求項３】
前記第１のＵＥの復調情報には、リソース割当情報、復調参照信号情報、変調符号化方式情報、ハイブリッド自動再送要求情報のうちの１つまたはそれらの組み合わせが含まれる、ことを特徴とする請求項１に記載の方法。
【請求項４】
前記第２のＵＥの復調補助情報を決定することは、基地局が、第１のＵＥの受信機のタイプに基づいて、前記第２のＵＥの復調補助情報を決定することを含むことを特徴とする請求項１に記載の方法。
【請求項５】
前記復調補助情報には、送信電力割当情報、リソース割当情報、復調参照信号情報、ＵＥ間干渉情報、変調次数、プリコーディングベクトル、伝送方式、変調符号化方式情報、ハイブリッド自動再送要求情報、伝送ブロックサイズ情報、デスクランブル、および巡回冗長検査情報のうちの１つまたはそれらの組み合わせが含まれる、ことを特徴とする請求項４に記載の方法。
【請求項６】
前記第２のＵＥの復調補助情報の長さを決定することは、前記第２のＵＥの数を前記第２のＵＥの復調補助情報の長さとすることを含む、ことを特徴とする請求項１乃至５のいずれか１項に記載の方法。
【請求項７】
前記第２のＵＥの数が１つまたは複数であり、前記第２のＵＥの復調補助情報の長さを決定することは、前記第２のＵＥをグループ分けして、グループ分けされた前記第２のＵＥのグループ数を第２のＵＥの復調補助情報の長さとする、ことを含む、ことを特徴とする請求項１乃至５のいずれか１項に記載の方法。
【請求項８】
前記第２のＵＥをグループ分けすることは、
ＵＥの多重化モードを１種類以上予め定義し、
各第２のＵＥの多重化モードをそれぞれ決定し、
各第２のＵＥの多重化モードに応じて、多重化モードが同じである第２のＵＥを１つのグループとするように、第２のＵＥをグループ分けする、ことを含む、
ことを特徴とする請求項７に記載の方法。
【請求項９】
前記ＵＥの多重化モードが、前記ＵＥの復調補助情報のうちの１つ以上の情報によって決められる、ことを特徴とする請求項８に記載の方法。
【請求項１０】
前記１つ以上の情報には、ＵＥの変調次数、変調符号化方式情報、チャネルのランク（Ｒａｎｋ）、復調参照信号情報、送信電力配分率、ハイブリッド自動再送要求情報、および伝送ブロックサイズ情報のうちの１つまたはそれらの組み合わせが含まれる、ことを特徴とする請求項９に記載の方法。
【請求項１１】
前記基地局が、物理下りリンク制御チャネル（ＰＤＣＣＨ）または拡張物理下りリンク制御チャネル（ＥＰＤＣＣＨ）を介して、前記第１の下り制御メッセージおよび第２の下り制御メッセージを前記第１のＵＥに送信する、ことを特徴とする請求項１に記載の方法。
【請求項１２】
制御情報の受信方法であって、
ユーザ端末（ＵＥ）が、第１の下り制御メッセージを受信し、
前記ＵＥが、受信された第１の下り制御メッセージから、前記ＵＥが前記ＵＥの下りデータを復調するための前記ＵＥの復調情報と、前記ＵＥと対になるＵＥの復調補助情報の長さとを抽出し、
前記ＵＥが、前記ＵＥと対になるＵＥの復調補助情報の長さに基づいて、第２の下り制御メッセージの長さを決定し、
前記ＵＥが、決定された第２の下り制御メッセージの長さに基づいて、第２の下り制御メッセージを受信し、
前記ＵＥが、前記第２の下り制御メッセージから、前記ＵＥと対になるＵＥの復調補助情報を抽出する、ことを含み、
前記ＵＥが、前記ＵＥと対になるＵＥの復調補助情報に基づいて、前記ＵＥと対になるＵＥの下りデータを復調する、ことを特徴とする方法。
【請求項１３】
前記ＵＥが、物理下りリンク制御チャネル（ＰＤＣＣＨ）または拡張物理下りリンク制御チャネル（ＥＰＤＣＣＨ）から、前記第1の下り制御メッセージおよび前記第２の下り制御メッセージを検出して受信する、ことを特徴とする請求項１２に記載の方法。
【請求項１４】
前記ＵＥと対になるＵＥの数が１つまたは複数であり、前記方法は、
前記ＵＥが、前記ＵＥと対になるＵＥの復調補助情報から、前記１つまたは複数の、前記ＵＥと対になるＵＥのリソース割当情報を抽出し、
前記ＵＥが、前記１つまたは複数の、前記ＵＥと対になるＵＥのリソース割当情報を合併して、自局のリソース割当情報を決定する、
ことをさらに含むことを特徴とする請求項１２または１３に記載の方法。
【請求項１５】
基地局であって、
ユーザスケジューリングを行って、第１のユーザ端末（ＵＥ）と対になる第２のＵＥを決定するユーザスケジューリング手段と、
前記第１のＵＥが前記第１のＵＥの下りデータを復調するための前記第１のＵＥの復調情報を決定する復調情報決定手段と、
前記第１のＵＥが前記第２のＵＥの下りデータを復調するための前記第２のＵＥの復調補助情報を決定する復調補助情報決定手段と、
前記第２のＵＥの復調補助情報の長さを決定する情報長さ決定手段と、
前記第１のＵＥの復調情報及び、第２のＵＥの復調補助情報の長さに基づいて、第１の下り制御メッセージを生成する第１の生成手段と、
前記第２のＵＥの復調補助情報に基づいて、第２の下り制御メッセージを生成する第２の生成手段と、
前記第１の下り制御メッセージおよび前記第２の下り制御メッセージを第１のＵＥに送信する送信手段と、を備え、
前記第１のＵＥが、前記第２のＵＥの復調補助情報の長さに基づいて、前記第２の下り制御メッセージを受信する、
ことを特徴とする基地局。
【請求項１６】
前記第２のＵＥの数が１つまたは複数であり、
前記情報長さ決定手段が、
ＵＥの多重化モードを１種類以上予め定義する多重化モード設定モジュールと、
各第２のＵＥの多重化モードをそれぞれ決定し、各第２のＵＥの多重化モードに応じて、多重化モードが同じである第２のＵＥを１つのグループとするように、前記第２のＵＥをグループ分けするグループ分けモジュールと、
前記第２のＵＥのグループ数を前記第２のＵＥの復調補助情報の長さとする長さ決定モジュールと、を含む、
ことを特徴とする請求項１５に記載の基地局。
【請求項１７】
前記復調情報決定手段により決定された前記第１のＵＥの復調情報には、復調参照信号情報、変調符号化方式情報、ハイブリッド自動再送要求情報のうちの１つまたはそれらの組み合わせが含まれるが、リソース割当情報が含まれない、
ことを特徴とする請求項１５または１６に記載の基地局。
【請求項１８】
ユーザ端末（ＵＥ）であって、
第１の下り制御メッセージおよび第２の下り制御メッセージを受信する受信手段と、
第１の下り制御メッセージから、前記ＵＥが前記ＵＥの下りデータを復調するための前記ＵＥの復調情報及び、前記ＵＥと対になるＵＥの復調補助情報の長さを抽出し、第２の下り制御メッセージから、前記ＵＥが前記ＵＥと対になるＵＥの下りデータを復調するための、前記ＵＥと対になるＵＥの復調補助情報を抽出する情報抽出手段と、
前記ＵＥと対になるＵＥの復調補助情報の長さに基づいて、第２の下り制御メッセージの長さを決定し、第２の下り制御メッセージの受信のために、決定された第２の下り制御メッセージの長さを受信手段にフィードバックするメッセージ長さ決定手段と、
を備えることを特徴とするＵＥ。
【請求項１９】
前記ＵＥと対になるＵＥの数が１つまたは複数であり、
前記ＵＥは、
前記ＵＥと対になるＵＥの復調補助情報から、前記１つまたは複数の、前記ＵＥと対になるＵＥのリソース割当情報を抽出するリソース割当情報抽出手段と、
前記１つまたは複数の、前記ＵＥと対になるＵＥのリソース割当情報を合併して、自局のリソース割当情報を決定するリソース合併手段と、をさらに備える、
ことを特徴とする請求項１８に記載のＵＥ。
【発明の詳細な説明】
【技術分野】
【０００１】
本発明は、無線通信システムに関し、特に、非直交多元接続（ＮＯＭＡ）システムにおける制御情報の送受信方法、並びに、対応の基地局およびユーザ端末に関する。
【背景技術】
【０００２】
スペクトルリソースが不足しつつある今、スペクトル効率を大幅に向上させることが可能な非直交多元接続（ＮＯＭＡ）技術は、ますます人々の注目を浴びている。ＮＯＭＡ技術の基本思想は、送信側において、非直交伝送を採用して自発的に干渉情報を導入し、受信側において、受信機の処理によって、例えば、干渉除去や、最尤検出などの方法によって、正確な復調を実現することにある。
【発明の概要】
【発明が解決しようとする課題】
【０００３】
受信側に干渉除去などの技術を導入すると、受信機の複雑度が増大することになるが、非直交多元接続の採用は、システムのスペクトル効率を良好に向上させることができる。このため、ＮＯＭＡ技術は、現在の無線通信のホットスポット技術の１つとなっている。
【課題を解決するための手段】
【０００４】
本発明の実施例では、制御情報の送信方法が提供されている。この方法は、基地局が、ユーザスケジューリングを行って、第１のユーザ端末（ＵＥ）と対になる第２のＵＥを決定した後、前記第１のＵＥが前記第１のＵＥの下りデータを復調するための前記第１のＵＥの復調情報と、前記第１のＵＥが第２のＵＥの下りデータを復調するための前記第２のＵＥの復調補助情報とを決定し、基地局が、第２のＵＥの復調補助情報の長さを決定し、基地局が、第１の下り制御メッセージを介して、第１のＵＥの復調情報と、第２のＵＥの復調補助情報の長さとを第１のＵＥに送信し、基地局が、第２の下り制御メッセージを介して、第２のＵＥの復調補助情報を第１のＵＥに送信する、ことを含み、ここで、前記第１のＵＥが、前記第２のＵＥの復調補助情報の長さに基づいて、前記第２の下り制御メッセージを受信する。
【０００５】
また、本発明の実施例では、制御情報の受信方法が提供されている。この方法は、ＵＥが、第１の下り制御メッセージを受信し、ＵＥが、受信された第１の下り制御メッセージから、前記ＵＥが前記ＵＥの下りデータを復調するための前記ＵＥの復調情報と、前記ＵＥと対になるＵＥの復調補助情報の長さとを抽出し、ＵＥが、前記ＵＥと対になるＵＥの復調補助情報の長さに基づいて、第２の下り制御メッセージの長さを決定し、ＵＥが、決定された第２の下り制御メッセージの長さに基づいて、第２の下り制御メッセージを受信し、ＵＥが、前記第２の下り制御メッセージから、前記ＵＥと対になるＵＥの復調補助情報を抽出する、ことを含み、ここで、前記ＵＥが、前記ＵＥと対になるＵＥの復調補助情報に基づいて、前記ＵＥと対になるＵＥの下りデータを復調する。
【０００６】
また、本発明の実施例では、基地局が提供されている。この基地局は、ユーザスケジューリングを行って、第１のＵＥと対になる第２のＵＥを決定するユーザスケジューリング手段と、前記第１のＵＥが前記第１のＵＥの下りデータを復調するための前記第１のＵＥの復調情報を決定する復調情報決定手段と、前記第１のＵＥが前記第２のＵＥの下りデータを復調するための前記第２のＵＥの復調補助情報を決定する復調補助情報決定手段と、前記第２のＵＥの復調補助情報の長さを決定する情報長さ決定手段と、前記第１のＵＥの復調情報及び第２のＵＥの復調補助情報の長さに基づいて、第１の下り制御メッセージを生成する第１の生成手段と、前記第２のＵＥの復調補助情報に基づいて、第２の下り制御メッセージを生成する第２の生成手段と、前記第１の下り制御メッセージおよび前記第２の下り制御メッセージを第１のＵＥに送信する送信手段と、を備え、ここで、前記第１のＵＥが、前記第２のＵＥの復調補助情報の長さに基づいて、前記第２の下り制御メッセージを受信する。
【０００７】
また、本発明の実施例では、ＵＥが提供されている。このＵＥは、第１の下り制御メッセージおよび第２の下り制御メッセージを受信する受信手段と、第１の下り制御メッセージから、前記ＵＥが前記ＵＥの下りデータを復調するための前記ＵＥの復調情報及び、前記ＵＥと対になるＵＥの復調補助情報の長さを抽出し、第２の下り制御メッセージから、前記ＵＥが前記ＵＥと対になるＵＥの下りデータを復調するための、前記ＵＥと対になるＵＥの復調補助情報を抽出する情報抽出手段と、前記ＵＥと対になるＵＥの復調補助情報の長さに基づいて、第２の下り制御メッセージの長さを決定し、第２の下り制御メッセージの受信のために、決定された第２の下り制御メッセージの長さを受信手段にフィードバックするメッセージ長さ決定手段と、を備える。
【発明の効果】
【０００８】
前述したように、本実施例で提供された制御情報の送受信方法、並びに、対応の基地局およびユーザ端末は、下り制御情報の伝送を実現することができ、非直交多元接続で多重化されたユーザ端末による干渉の検出または除去に十分な情報が提供され、多種の受信機のタイプに適用可能であり、従来のプロトコルへの変更が少なく、さらに、シグナリングのオーバヘッドが小さくて、ＵＥの受信機の複雑度への要求が高くないなどの利点を有する。
【図面の簡単な説明】
【０００９】
【図１】ＮＯＭＡシステムにおいて２つのユーザ端末が同じ時間周波数リソースを多重化する例を示す。
【図２】本発明の実施例における基地局が制御情報を送信する方法を示す。
【図３】本願の一部の実施例における第１の下り制御メッセージのメッセージ構成を示す。
【図４】本願の一部の実施例における第２の下り制御メッセージのメッセージ構成を示す。
【図５】本発明の実施例におけるユーザ端末が制御情報を受信する方法を示す。
【図６】本発明の他の実施例におけるユーザ端末が制御情報を受信する方法を示す。
【図７】本発明の実施例における基地局の内部構成の模式図である。
【図８】本発明の実施例におけるユーザ端末の内部構成の模式図である。
【発明を実施するための形態】
【００１０】
ＮＯＭＡシステムでは、複数のユーザが非直交の多元接続方式を採用するため、複数のユーザが同じ時間周波数リソースを同時に使用することができ、通信システムのスペクトル効率を大幅に向上させることができる。非直交の多元接続方式を実現するために、同じ時間周波数リソースを使用する複数のユーザの下りデータは、基地局により割り当てられた異なる下り送信電力によって互いに区別される。
【００１１】
以下では、説明の便宜上、基地局によるユーザスケジューリングを経て同じ時間周波数リソースが割り当てられたユーザ端末同士を、互いに対になるユーザ端末と呼ぶ。つまり、ユーザ端末Ａと対になるユーザ端末とは、ユーザ端末Ａと同じ時間周波数リソースを使用するように割り当てられたユーザ端末を指す。例えば、ユーザ端末Ａおよびユーザ端末Ｂが同じ時間周波数リソースを使用するように割り当てられると、ユーザ端末Ａは、ユーザ端末Ｂと対になるユーザ端末であり、ユーザ端末Ｂは、ユーザ端末Ａと対になるユーザ端末である。
【００１２】
次に、例を挙げて、ＮＯＭＡシステムでは、如何に、異なる下り送信電力によって、異なるユーザ端末のデータを区別するかを簡単に説明する。
【００１３】
図１は、ＮＯＭＡシステムにおいて２つのユーザ端末ＵＥ１およびＵＥ２が同じ時間周波数リソースを多重化する例を示す。これらの２つのユーザ端末（ＵＥ）のうち、ＵＥ１が基地局（ＢＳ）から近くて、ＮＵＥ（Ｎｅａｒ  ＵＥ）と呼ばれてもよく、ＵＥ２が基地局（ＢＳ）から遠くて、ＦＵＥ（Ｆａｒ  ＵＥ）と呼ばれてもよい。また、ＵＥ１およびＵＥ２は、同じ下り時間周波数リソースを多重化する。つまり、ＵＥ１およびＵＥ２に対して、基地局は、同じ下り時間周波数リソースを使用して、これらの２つのＵＥの下りデータを送信することにより、非直交の多元接続を実現する。即ち、基地局から送信された信号は、２つのＵＥの下りデータが含まれる混合信号である。
【００１４】
基地局からＵＥ１へ送信された下りデータと、基地局からＵＥ２へ送信された下りデータとを区別するために、基地局は、高い送信電力でＦＵＥ（ＵＥ２）の下りデータを送信するが、低い送信電力でＮＵＥ（ＵＥ１）の下りデータを送信する。このように、ＵＥ側では、受信された信号がＮＵＥとＦＵＥとの下りデータの混合信号であっても、受信側は、まず、干渉除去技術によって、受信された信号から、基地局から他のＵＥへ送信された信号を除去してから、自局の下りデータを復調することができる。
【００１５】
例えば、ＮＵＥ（ＵＥ１）にとって、自局の下りデータが基地局から送信される際に使用された下り送信電力が小さかったが、他のＦＵＥ（ＵＥ２）の下りデータが送信される際に使用された下り送信電力が大きかった。このため、ＵＥ１で受信された混合信号のうち、基地局からＦＵＥ（ＵＥ２）へ送信された下り信号の比重が大きい。これにより、ＵＥ１自身の下りデータの直接復調に成功することが難しくなる。この場合、ＵＥ１がＦＵＥ（ＵＥ２）の下りデータの復調に必要な補助情報、例えば、ＦＵＥ（ＵＥ２）の電力割当情報、リソース割当情報、および変調符号化方式（ＭＣＳ）などの、下りデータの復調に必要な情報を予め知ることができれば、ＵＥ１は、まず、干渉除去を行い、即ち、まず、基地局からＦＵＥ（ＵＥ２）へ送信された下りデータを復調し、その後、自局で受信された混合信号から、基地局からＦＵＥ（ＵＥ２）へ送信された信号を除去して、主に自局の下りデータが含まれる信号を復元することができる。説明の便宜上、以下では、上述した自局以外のある他のユーザ端末の下りデータの復調に必要な補助情報を、該他のユーザ端末の復調補助情報と略称する。干渉除去を行ってから、ＵＥ１は、自局の下りデータの復調に必要な情報に基づいて、干渉除去後の信号を復調することにより、基地局から自局へ送信された下りデータを得ることができる。他のユーザ端末の復調補助情報と区別するために、あるユーザ端末が自局の下りデータを復調することに必要な情報を、該ユーザ端末の復調情報と呼ぶ。同様に、ＦＵＥ（ＵＥ２）にとって、ＮＵＥ（ＵＥ１）の下りデータの復調に必要な補助情報、即ち、ＮＵＥ（ＵＥ１）の復調補助情報を予め知ることができれば、ＵＥ２は、まず、干渉除去を行ってから、自局の復調補助情報に基づいて、干渉除去後の信号を復調することにより、基地局から自局へ送信された下りデータを得ることができる。もちろん、基地局は、ＮＵＥ（ＵＥ１）の下りデータを送信する際に使用した下り送信電力が小さかったが、ＦＵＥ（ＵＥ２）の下りデータを送信する際に使用した下り送信電力が大きかった。このため、ＵＥ２で受信された混合信号のうち、基地局からＮＵＥ（ＵＥ１）へ送信された下り信号の比重が小さい。この場合、ＦＵＥ（ＵＥ２）は、干渉除去を行わずに、基地局からＮＵＥ（ＵＥ１）へ送信された下りデータを雑音として、自局の下りデータを直接に復調してもよい。
【００１６】
上記の干渉除去過程から分かるように、あるユーザ端末の受信機において干渉除去を完成するために、基地局は、まず、該ユーザ端末に該ユーザ端末と対になるユーザ端末の復調補助情報を送信する必要がある。例えば、ＮＵＥ（ＵＥ１）にＦＵＥ（ＵＥ２）の復調補助情報を送信する。しかしながら、現在の長期的な進化（ＬＴＥ）システムのプロトコルバージョンには、基地局が如何にあるユーザ端末に該ユーザ端末と対になるユーザ端末の復調補助情報を送信するかの方法が示されていない。
【００１７】
本発明の実施例では、ユーザ端末の復調情報、および、該ユーザ端末と対になるユーザ端末の復調補助情報の伝送に用いることが可能な、下り制御情報の送受信方法が提供されている。本発明の目的、解決手段およびメリットをさらに明確にするために、以下、図面および実施例を参照して、本発明をさらに詳しく説明する。理解すべきものとして、ここで説明する具体的な実施例は、本発明を解釈するものにすぎず、本発明を限定するものではない。
【００１８】
図２は、本発明の実施例で提供された制御情報の送信方法を示す。図２に示すように、この方法は、主に以下の手順を含む。
【００１９】
ステップ２０１で、基地局は、ユーザスケジューリングを行って、第１のユーザ端末（ＵＥ）と対になる第２のＵＥを決定する。
【００２０】
ここで、上記第１のＵＥとは、ユーザスケジューリングに参加する任意の１つのＵＥを指す。第１のＵＥと対になる第２のＵＥは、即ち、第１のＵＥと同じ下り時間周波数リソースを使用するように割り当てられたＵＥである。つまり、本システムでは、第１のＵＥおよび第２のＵＥは、非直交の多元接続方式で、同じ時間周波数リソースを多重化する。
【００２１】
本実施例では、上記第２のＵＥは、１つのＵＥであってもよく、複数のＵＥを含んでもよい。つまり、本実施例が適用されるＮＯＭＡシステムは、整列リソース割当（Ａｌｉｇｎｅｄ  Ｒｅｓｏｕｒｃｅ  Ａｌｌｏｃａｔｉｏｎ）も、非整列リソース割当（Ｎｏｎ−Ａｌｉｇｎｅｄ  Ｒｅｓｏｕｒｃｅ  Ａｌｌｏｃａｔｉｏｎ）も、サポートすることができる。
【００２２】
また、本ステップにおいて、基地局は、ユーザスケジューリングを行う際に、従来のＬＴＥのプロトコルバージョンで規定されたユーザスケジューリング方法を参照してもよい。例えば、プロポーショナルフェアネススケジューリングや、ポーリングスケジューリングなどである。
【００２３】
ステップ２０２で、基地局は、上記第１のＵＥの復調情報を決定する。
前述したように、上記第１のＵＥの復調情報とは、第１のＵＥの下りデータの復調に必要な各種の情報を指す。例えば、第１のＵＥの復調情報には、リソース割当（ＲＡ）情報、復調参照信号（ＤＢＲＳ）情報、変調符号化方式（ＭＣＳ）情報、ハイブリッド自動再送要求（ＨＡＲＱ）情報などのうちの１つまたはそれらの組み合わせが含まれてもよい。本発明の一実施例では、上記第１のＵＥの復調情報には、ＲＡ情報が含まれなくてもよい。この場合、第１のＵＥは、第２のＵＥの復調補助情報における第２のＵＥのＲＡ情報に基づいて、自局のＲＡ情報を決定してもよい。これにより、シグナリングのオーバヘッドをさらに減少させる。
【００２４】
ステップ２０３で、基地局は、上記第２のＵＥの復調補助情報を決定する。
前述したように、上記第２のＵＥの復調補助情報とは、第２のＵＥの下りデータの復調に必要な各種の情報を指す。例えば、第２のＵＥの復調補助情報には、送信電力割当（ＴＰＡ）情報、ＲＡ情報、ＤＭＲＳ情報、ＵＥ間干渉情報（Ｅｘｉｓｔｅｎｃｅ  ｏｆ  Ｉｎｔｒａ−ＵＥ  Ｉｎｔｅｒｆｅｒｅｎｃｅ）、変調次数（Ｍｏｄｕｌａｔｉｏｎ  Ｏｒｄｅｒ）、プリコーディングベクトル（Ｐｒｅ−Ｃｏｄｉｎｇ  Ｖｅｃｔｏｒ）、伝送方式（Ｔｒａｎｓｍｉｓｓｉｏｎ  Ｓｃｈｅｍｅ）、ＭＣＳ情報、ＨＡＲＱ情報、伝送ブロックサイズ（ＴＢＳ）情報、デスクランブル、および巡回冗長検査情報などのうちの１つまたはそれらの組み合わせが含まれてもよい。
【００２５】
上記第２のＵＥの復調補助情報には、具体的にどのような内容が含まれるかは、第１のＵＥで採用される受信機のタイプおよび機能と関係がある。このため、応用では、基地局は、第１のＵＥの受信機のタイプ、および、ブラインド検出をサポートするか否かに基づいて、第２のＵＥの復調補助情報の内容を決定する。
【００２６】
具体的には、例えば、ＵＥ側で低い複雑度の最尤（Ｒ−ＭＬ）受信機またはシンボルレベル干渉除去（ＳＬＩＣ）受信機が採用される場合、上記復調補助情報には、ＴＰＡ情報、ＲＡ情報、ＤＭＲＳ情報、ＵＥ間干渉情報、変調次数、プリコーディングベクトル、および伝送方式などが含まれてもよい。ＵＥ側でコードワードレベル干渉除去（ＣＷＩＣ）受信機が採用される場合、上記復調補助情報には、ＭＣＳ情報、ハイブリッド自動再送要求（ＨＡＲＱ）情報、ＴＢＳ情報、デスクランブル、および巡回冗長検査情報なども含まれるべきである。
【００２７】
また、例えば、ＵＥで採用される受信機が、ブラインド検出をサポートする受信機である場合、上記補助情報には、内容がさらに減少されてもよく、ＵＥ間干渉情報、変調次数、プリコーディングベクトル、伝送方式などが含まれなくてもよい。この場合、ＵＥの受信機がブラインド検出をサポートするため、ＵＥは、第１のＵＥの復調情報および第２のＵＥの復調補助情報を受信した後、ブラインド検出によって、第２のＵＥの下りデータの復調に必要な全部の補助情報を取得する必要がある。その後、基地局から第２のＵＥへ送信された下りデータを復調し、干渉除去後に、基地局から第１のＵＥへ送信された下りデータを復調することができる。ＵＥで採用される受信機が、ブラインド検出をサポートしない受信機である場合、上記補助情報には、ＵＥ間干渉情報、変調次数、プリコーディングベクトル、伝送方式などが含まれるべきである。この場合、ＵＥは、第１のＵＥの復調情報および第２のＵＥの復調補助情報を受信すると、基地局から第２のＵＥへ送信された下りデータを復調し、干渉除去後に、基地局から第１のＵＥへ送信された下りデータを復調することができる。
【００２８】
ステップ２０４で、基地局は、第２のＵＥの復調補助情報の長さを決定する。
前述したように、第２のＵＥは、１つのＵＥであってもよく、複数のＵＥを含んでもよい。このため、全ての第２のＵＥの復調補助情報の総長さも固定しない。特に、非整列をサポートするリソース割当方式で、第２のＵＥの数が多いほど、第２のＵＥの復調補助情報の長さが長くなる。
【００２９】
本発明の一実施例では、上記第２のＵＥの復調補助情報の長さは、第２のＵＥの数であってもよい。つまり、第２のＵＥの数がＮである場合、本ステップで決定された第２のＵＥの復調情報の長さは、Ｎである。
【００３０】
本発明の他の実施例では、基地局は、まず、第２のＵＥをグループ分けし、グループ分けされた第２のＵＥのグループ数を第２のＵＥの復調補助情報の長さとする。つまり、第２のＵＥの数がＭであるが、グループ分けを経ると、Ｎ個（Ｎ≦Ｍ）のみのグループを得ると仮定すると、本ステップで決定された第２のＵＥの復調情報の長さは、Ｎである。本実施例における第２のＵＥの復調補助情報の長さ情報を決定することは、具体的に、下記のようなステップを含んでもよい。
【００３１】
ステップ２０４１で、基地局は、ＵＥの多重化モードを１種類以上予め定義する。
本実施例では、ＵＥの多重化モードは、該ＵＥの復調補助情報のうちの１つ以上の情報により決められる、ＵＥの多重化方式を表す情報である。上記１つ以上の情報には、ＵＥの変調次数、ＭＣＳ情報、チャネルのランク（Ｒａｎｋ）、ＤＭＲＳ情報、送信電力配分率（ＴＰＡ  Ｒａｔｉｏ）、ＨＡＲＱ情報、およびＴＢＳ情報のうちの１つまたはそれらの組み合わせが含まれてもよい。ＵＥの多重化モードが具体的にどのような情報により決められるかも、ＵＥで採用される受信機のタイプと関係がある。例えば、Ｒ−ＭＬ受信機またはＳＬＩＣ受信機の場合、ＵＥの各多重化モードそれぞれにより、このＵＥに対応する変調次数、ＭＣＳ情報、Ｒａｎｋ、および／またはＤＭＲＳ情報などが決められる。サブバンド送信電力割当をサポートする場合、ＵＥの各多重化モードそれぞれにより、送信電力配分率も決められる。また、例えば、ＣＷＩＣ受信機の場合、ＵＥの各多重化モードそれぞれにより、ＨＡＲＱ情報およびＴＢＳ情報なども決められる。
【００３２】
ステップ２０４２で、基地局は、各第２のＵＥの多重化モードをそれぞれ決定し、各第２のＵＥの多重化モードに応じて、多重化モードが同じである第２のＵＥを１つのグループとするように、第２のＵＥをグループ分けする。
【００３３】
上記ステップ２０４１から分かるように、異なるＵＥは、上述したＵＥの多重化方式を表す情報が同じであることがありうる。つまり、異なるＵＥは、同じ多重化モードを有することがありうる。このため、本ステップ２０４２において、基地局は、各第２のＵＥの多重化モードを決定した後、多重化モードが同じである第２のＵＥを１つのグループとするように、第２のＵＥをグループ分けしてもよい。
【００３４】
ステップ２０４３で、基地局は、第２のＵＥのグループ数を第２のＵＥの復調補助情報の長さとする。
【００３５】
上記のステップ２０４１〜２０４３によっても、第２のＵＥの下りデータを復調するための補助情報の長さを決定することができる。また、この方法では、第２のＵＥのグループ数が第２のＵＥの数以下であることが容易に理解できる。このため、この方法によって決定された第２のＵＥの復調補助情報の長さは、以上に直接に第２のＵＥの数に基づいて決定された第２のＵＥの復調補助情報の長さ以下である。
【００３６】
次いで、基地局が制御情報を送信する方法を引き続いて説明する。
ステップ２０５で、第１のＵＥの復調情報、第２のＵＥの復調補助情報、および第２のＵＥの復調補助情報の長さを決定した後、基地局は、第１の下り制御メッセージを介して、第１のＵＥの復調情報と、第２のＵＥの復調補助情報の長さとを第１のＵＥに送信する。
【００３７】
本ステップ２０５において、基地局は、物理下りリンク制御チャネル（ＰＤＣＣＨ）、または、ＬＴＥバージョン１１に導入された拡張物理下りリンク制御チャネル（ＥＰＤＣＣＨ）を介して、第１の下り制御メッセージを第１のＵＥに送信してもよい。具体的には、図３は、本願の一部の実施例における第１の下り制御メッセージの一例を示す。図３に示すように、第１の下り制御メッセージには、２つのフィールドが含まれる。１番目のフィールドは、第１のＵＥの復調情報を搭載するものであり、２番目のフィールドは、例えば、第２のＵＥの数や、グループ分けされた第２のＵＥのグループ数のような第２のＵＥの復調補助情報の長さを搭載するものである。ここから分かるように、第１の下り制御メッセージの長さは、固定したものである。
【００３８】
ステップ２０６で、基地局は、第２の下り制御メッセージを介して、第２のＵＥの復調補助情報を第１のＵＥに送信する。
【００３９】
本ステップにおいて、基地局は、ＰＤＣＣＨまたはＥＰＤＣＣＨを介して、第２の下り制御メッセージを第１のＵＥに送信してもよい。具体的には、図４は、本願の一部の実施例における第２の下り制御メッセージの一例を示す。図４に示すように、第２の下り制御メッセージには、Ｎ個のフィールドが含まれる。ここで、Ｎは、例えば、第２のＵＥの数や、グループ分けされた第２のＵＥのグループ数のような、ステップ２０４で決定された第２のＵＥの復調補助情報の長さである。Ｎが第２のＵＥの数である場合、第２の下り制御メッセージの各フィールドには、それぞれ、各第２のＵＥの復調補助情報が搭載される。Ｎが第２のＵＥのグループ数である場合、第２の下り制御メッセージの各フィールドには、それぞれ、各グループの第２のＵＥの復調補助情報が搭載される。前述したように、復調補助情報の内容は、第１のＵＥの受信機のタイプ、および、ブラインド検出をサポートするか否かと大きな関係があり、主に、ＴＰＡ、ＲＡ、ＤＭＲＳ情報、ＭＣＳなどを含んでもよい。また、２つの方法の比較から分かるように、第２のＵＥのグループ数が必ず第２のＵＥの数以下であるため、ＵＥの多重化モードを設定するような方式を採用することにより、第２の下り制御メッセージの長さを減少することができ、シグナリングのオーバヘッドを減少するという目的が実現される。
【００４０】
上記の方法によれば、基地局は、第１のＵＥの復調情報および第２のＵＥの復調補助情報を第１のＵＥに送信することができる。その後、第１のＵＥは、基地局から第２のＵＥへ送信された下りデータを復調し、干渉除去後に、基地局から第１のＵＥへ送信された下りデータを復調することができる。特に、第１のＵＥがＮＵＥである場合、受信機による復調の正確率を大幅に高めることができる。また、上記の方法では、ＵＥは、第１の下り制御メッセージを受信すると、直接に第２の下り制御メッセージの長さを決定することができるので、ＵＥの受信機による第２の下り制御メッセージへの検出の複雑度が大幅に低下する。ここから分かるように、本実施例で提供された下り制御情報の送信方法は、従来のプロトコルへの変更が少ないだけでなく、シグナリングのオーバヘッドや、ＵＥの受信機の複雑度などの要素をできるだけ折衷して考慮したものであり、シグナリングのオーバヘッドができるだけ小さくて、受信機の複雑度も高くない方法である。
【００４１】
加えて、前述したように、上記の本発明の実施例の方法では、さらに、下記の２つの技術的手段によって、シグナリングのオーバヘッドを減少してもよい。１番目の技術的手段は、第１のＵＥの復調情報にＲＡ情報を含めないことである。この場合、第１のＵＥは、受信された第２のＵＥのＲＡ情報から、第１のＵＥ自身のＲＡ情報を得ることができる。２番目の技術的手段は、第２のＵＥの復調補助情報に基づいて、第２のＵＥをグループ分けし、グループ分けされたグループ数を第２のＵＥの復調補助情報の長さとし、第２の下り制御メッセージの各フィールドに各グループの第２のＵＥの復調補助情報を搭載することである。この場合、第２の下り制御メッセージの長さは、第２のＵＥの数と関係があるのではなく、第２のＵＥのグループ数と関係がある。このように、上記の１番目の手段により、第１の下り制御メッセージの長さを減少することができ、上記の２番目の手段により、第２の下り制御情報の長さを減少することができ、シグナリングのオーバヘッドを減少するという目的が実現される。説明すべきものとして、実際の応用では、実際の状況の必要に応じて、上記の２つの技術的手段を独立して使用してもよいし、上記の２つの技術的手段を同時に使用し、即ち、最大限にシグナリングのオーバヘッドを減少してもよい。
【００４２】
これに対応して、本発明の実施例では、下り制御情報の受信方法も提供されている。そのフローは、図５に示すように、主に以下の手順を含む。
【００４３】
ステップ５０１で、ＵＥは、第１の下り制御メッセージを受信する。
本発明の実施例では、ＵＥは、ＰＤＣＣＨまたはＥＰＤＣＣＨから、第１の下り制御メッセージを検出して受信してもよい。
【００４４】
ステップ５０２で、ＵＥは、受信された第１の下り制御メッセージから、自局の復調情報と、自局と対になる他のＵＥの復調補助情報の長さとを抽出する。
【００４５】
ステップ５０３で、ＵＥは、自局と対になる他のＵＥの復調補助情報の長さに基づいて、第２の下り制御メッセージの長さを決定する。
【００４６】
前述したように、第２の下り制御メッセージに含まれるフィールドの数Ｎは、例えば、第２のＵＥの数や、グループ分けされた第２のＵＥのグループ数のような、第２のＵＥの復調補助情報の長さである。このため、ＵＥは、第１の下り制御メッセージから、自局と対になる他のＵＥの復調補助情報の長さを取得すると、第２の下り制御メッセージの長さを決定することができる。また、本発明の実施例では、第１および第２の下り制御メッセージは、いずれも、ＰＤＣＣＨまたはＥＰＤＣＣＨのチャネルを介して伝送してもよい。また、従来のＬＴＥのプロトコルバージョンでは、ＰＤＣＣＨまたはＥＰＤＣＣＨの長さに関して具体的な規定がされているので、ＵＥは、第２の下り制御メッセージの長さを決定すると、第２の下り制御メッセージのおおよその位置を基本的に決定することもできる。このため、ＵＥの受信機による第２の下り制御メッセージへの検出の複雑度が大幅に低下することができる。
【００４７】
ステップ５０４で、ＵＥは、決定された第２の下り制御メッセージの長さに基づいて、第２の下り制御メッセージを受信する。
【００４８】
本ステップにおいても、ＵＥは、ＰＤＣＣＨまたはＥＰＤＣＣＨから、第２の下り制御メッセージを検出して受信してもよい。
【００４９】
ステップ５０５で、ＵＥは、第２の下り制御メッセージから、自局と対になる他のＵＥの復調補助情報を抽出する。
【００５０】
前述したように、第２の下り制御メッセージに含まれる復調補助情報は、ＵＥの受信機のタイプと関係があり、下りデータの復調に必要な全部の補助情報を含むのではないことがありうる。このため、ＵＥは、自局と対になる他のＵＥの復調補助情報を抽出した後、受信機がブラインド検出をサポートする場合、さらに、ブラインド検出によって、他の補助情報を取得する。全部の補助情報を得ると、ＵＥは、抽出および／またはブラインド検出された補助情報に基づいて、基地局から自局と対になる他のＵＥへ送信された下りデータを復調し、その後、干渉除去を行い、最後に、第１の下り制御メッセージから抽出された自局の復調情報、および／または、ブラインド検出によって検出された他の補助情報に基づいて、さらに、基地局から自局へ送信された下りデータを復調することができる。
【００５１】
前述したように、本実施例で提供された下り制御情報の送信方法は、従来のプロトコルへの変更が少なく、さらに、シグナリングのオーバヘッドが小さくて、ＵＥの受信機の複雑度への要求が高くないなどの利点を有する。
【００５２】
前述したように、本発明の一実施例では、上記ステップ２０２で決定された第１のＵＥの復調情報には、第１のＵＥのリソース割当（ＲＡ）情報が含まれなくてもよい。また、本実施例では、送信された第１の下り制御メッセージには、第１のＵＥのリソース割当情報が含まれない。このため、第１の下り制御メッセージの長さがさらに減少し、シグナリングのオーバヘッドをさらに減少させる。
【００５３】
これに対応して、本発明の実施例では、この方法に対して、下り制御情報の他の受信方法も提供されている。そのフローは、図６に示すように、主に以下の手順を含む。
【００５４】
ステップ５０１で、ＵＥは、第１の下り制御メッセージを受信する。
ステップ５０２で、ＵＥは、受信された第１の下り制御メッセージから、自局の復調補助情報と、自局と対になる他のＵＥの復調補助情報の長さとを抽出する。
前述したように、本ステップで抽出された自局の復調情報には、自局のリソース割当情報が含まれない。
【００５５】
ステップ５０３で、ＵＥは、自局と対になる他のＵＥの復調補助情報の長さに基づいて、第２の下り制御メッセージの長さを決定する。
【００５６】
ステップ５０４で、ＵＥは、決定された第２の下り制御メッセージの長さに基づいて、第２の下り制御メッセージを受信する。
【００５７】
ステップ５０５で、ＵＥは、第２の下り制御メッセージから、自局と対になる他のＵＥの復調補助情報を抽出する。
【００５８】
上記のステップ５０１〜５０５は、図５に示すステップ５０１〜５０５と実現方法が同様であり、ここで説明を省略する。
【００５９】
ステップ５０６で、ＵＥは、自局と対になる他のＵＥの復調補助情報から、自局と対になる他のＵＥのリソース割当情報を抽出する。
【００６０】
ステップ５０７で、ＵＥは、自局と対になる他のＵＥのリソース割当情報を合併して、自局のリソース割当情報を決定する。
【００６１】
ここから分かるように、基地局から送信された該ＵＥ自身の復調情報に該ＵＥのリソース割当情報が含まれないが、該ＵＥと対になる他のＵＥが実際に該ＵＥと同じ時間周波数リソースを使用しているので、該ＵＥと対になる他のＵＥのリソース割当情報が決定されると、該ＵＥのリソース割当情報を決定することができる。つまり、ＵＥは、第２の下り制御メッセージから、自局のリソース割当情報を決定することができる。例えば、ＵＥ１と対になるＵＥにＵＥ２およびＵＥ３が含まれる場合、第２の下り制御情報には、ＵＥ２およびＵＥ３のリソース割当情報が含まれる。このように、ＵＥ１は、第２の下り制御情報を受信すると、ＵＥ１と対になるＵＥ２およびＵＥ３に割り当てられた時間周波数リソースを決定することができ、これらのリソースを合併すると、基地局からＵＥ１自身に割り当てられた時間周波数リソースを決定することができる。
【００６２】
ここから分かるように、上記の方法によれば、下り制御情報の伝送を完成することができるだけでなく、第１の下り制御メッセージに第１のＵＥのリソース割当情報を付けるような方法に比べて、下り制御メッセージの長さがさらに減少し、シグナリングのオーバヘッドをさらに減少させる。
【００６３】
これに対応して、本発明の実施例では、上記の方法を実現する基地局およびユーザ端末も提供されている。
【００６４】
図７は、本発明の実施例で提供された基地局を示す。図７に示すように、この基地局は、主に、ユーザスケジューリングを行って、第１のＵＥと対になる第２のＵＥを決定するユーザスケジューリング手段７０１と、前記第１のＵＥが前記第１のＵＥの下りデータを復調するための前記第１のＵＥの復調情報を決定する復調情報決定手段７０２と、前記第１のＵＥが前記第２のＵＥの下りデータを復調するための前記第２のＵＥの復調補助情報を決定する復調補助情報決定手段７０３と、第２のＵＥの復調補助情報の長さを決定する情報長さ決定手段７０４と、第１のＵＥの復調情報及び第２のＵＥの復調補助情報の長さに基づいて、第１の下り制御メッセージを生成する第１の生成手段７０５と、第２のＵＥの復調補助情報に基づいて、第２の下り制御メッセージを生成する第２の生成手段７０６と、第１の下り制御メッセージおよび第２の下り制御メッセージを第１のＵＥに送信する送信手段７０７と、を備え、ここで、前記第１のＵＥが、前記第２のＵＥの復調補助情報の長さに基づいて、前記第２の下り制御メッセージを受信する。
【００６５】
前述したように、第２の下り制御メッセージの長さをさらに減少するために、本発明の一実施例では、上記情報長さ決定手段７０４は、さらに、ＵＥの多重化モードを１種類以上予め定義する多重化モード設定モジュール７０４１と、各第２のＵＥの多重化モードをそれぞれ決定し、各第２のＵＥの多重化モードに応じて、多重化モードが同じである第２のＵＥを１つのグループとするように、第２のＵＥをグループ分けするグループ分けモジュール７０４２と、第２のＵＥのグループ数を第２のＵＥの復調補助情報の長さとする長さ決定モジュール７０４３と、を含んでもよい。
【００６６】
前述したように、第１の下り制御メッセージの長さをさらに減少するために、上記復調情報決定手段７０２で決定された上記第１のＵＥの復調情報には、リソース割当情報が含まれなくてもよい。
【００６７】
説明すべきものとして、上述した基地局の各手段および各モジュールの具体的な実現方法は、図２に示す方法を参照すればよい。
【００６８】
図８は、本発明の実施例におけるユーザ端末（ＵＥ）を示す。図８に示すように、このユーザ端末は、主に、第１の下り制御メッセージおよび第２の下り制御メッセージを受信する受信手段８０１と、第１の下り制御メッセージから、前記ＵＥが前記ＵＥの下りデータを復調するための前記ＵＥの復調補助情報及び、前記ＵＥと対になるＵＥの復調補助情報の長さを抽出し、第２の下り制御メッセージから、前記ＵＥが前記ＵＥと対になるＵＥの下りデータを復調するための、前記ＵＥと対になるＵＥの復調補助情報を抽出する情報抽出手段８０２と、前記ＵＥと対になるＵＥの復調補助情報の長さに基づいて、第２の下り制御メッセージの長さを決定し、第２の下り制御メッセージの受信のために、決定された第２の下り制御メッセージの長さを受信手段８０１にフィードバックするメッセージ長さ決定手段８０３と、を備える。
【００６９】
前述したように、第１の下り制御メッセージの長さを減少するために、基地局側は、ＵＥ自身のリソース割当情報を送信しなくてもよい。この場合、ＵＥは、自局と対になるＵＥの復調補助情報から、自局と対になる他のＵＥのリソース割当情報を抽出するリソース割当情報抽出手段８０４と、自局と対になるＵＥのリソース割当情報を合併して、自局のリソース割当情報を決定するリソース合併手段８０５と、をさらに備える。
【００７０】
説明すべきものとして、上述したユーザ端末の各手段の具体的な実現方法は、図５および図６に示す方法を参照すればよい。
【００７１】
前述したように、本実施例で提供された基地局およびユーザ端末は、下り制御情報の伝送を実現することができ、非直交多元接続で多重化されたユーザ端末による干渉除去に十分な情報が提供され、従来のプロトコルへの変更が少なく、さらに、シグナリングのオーバヘッドが小さくて、ＵＥの受信機の複雑度への要求が高くないなどの利点を有する。
【００７２】
当業者であれば理解すべきものとして、本願の実施例のユーザ端末および基地局における各処理手段の機能は、前述した方法に関する実施例の関連説明を参照すると、理解することができ、本願の実施例のユーザ端末および基地局における各処理手段は、本願の実施例における方法を実現するソフトウェアがユーザ端末および基地局で実行されることによって、実現することができる。
【００７３】
本願で提供された幾つかの実施例では、理解すべきものとして、開示された機器および方法は、別の方式で実現してもよい。上記に説明した機器に関する実施例は、模式的なものにすぎない。例えば、前記手段の分割は、論理的な機能の分割にすぎず、実際に実現する際に、別の分割方式であってもよい。例えば、複数のモジュールまたはアセンブリを組み合わせたり、他のシステムに組み入れたりしてもよいし、一部の構成を無視したり、実行しなかったりしてもよい。また、示されまたは説明された各構成部分の互いの結合、または直接結合、または通信接続は、若干のインターフェースを介するものであってもよく、機器またはモジュールの間接結合または通信接続は、電気的、機械的、または他の形式であってもよい。
【００７４】
当業者であれば理解できるように、上記方法に関する実施例を実現する全部または一部のステップは、プログラムによって関連のハードウェアに指令することにより行ってもよい。前述したプログラムは、コンピュータ可読記憶媒体に記憶されてもよい。該プログラムを実行する際に、上記方法に関する実施例を含むステップが実行される。前述した記憶媒体は、モバイル記憶デバイス、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクや光ディスクなどの、プログラムコードを記憶できる各種の媒体を含む。
【００７５】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００７６】
７０１  ユーザスケジューリング手段
７０２  復調情報決定手段
７０３  復調補助情報決定手段
７０４  情報長さ決定手段
７０５  第１の生成手段
７０６  第２の生成手段
７０７  送信手段
８０１  受信手段
８０２  情報抽出手段
８０３  メッセージ長さ決定手段
【図１】
2019512182.tif 000003
【図２】
2019512182.tif 000004
【図３】
2019512182.tif 000005
【図４】
2019512182.tif 000006
【図５】
2019512182.tif 000007
【図６】
2019512182.tif 000008
【図７】
2019512182.tif 000009
【図８】
2019512182.tif 000010
【手続補正書】
【提出日】平成30年8月30日(2018.8.30)
【手続補正１】
【補正対象書類名】明細書
【補正対象項目名】００１５
【補正方法】変更
【補正の内容】
【００１５】
例えば、ＮＵＥ（ＵＥ１）にとって、自局の下りデータが基地局から送信される際に使用された下り送信電力が小さかったが、他のＦＵＥ（ＵＥ２）の下りデータが送信される際に使用された下り送信電力が大きかった。このため、ＵＥ１で受信された混合信号のうち、基地局からＦＵＥ（ＵＥ２）へ送信された下り信号の比重が大きい。これにより、ＵＥ１自身の下りデータの直接復調に成功することが難しくなる。この場合、ＵＥ１がＦＵＥ（ＵＥ２）の下りデータの復調に必要な補助情報、例えば、ＦＵＥ（ＵＥ２）の電力割当情報、リソース割当情報、および変調符号化方式（ＭＣＳ）などの、下りデータの復調に必要な情報を予め知ることができれば、ＵＥ１は、まず、干渉除去を行い、即ち、まず、基地局からＦＵＥ（ＵＥ２）へ送信された下りデータを復調し、その後、自局で受信された混合信号から、基地局からＦＵＥ（ＵＥ２）へ送信された信号を除去して、主に自局の下りデータが含まれる信号を復元することができる。説明の便宜上、以下では、上述した自局以外のある他のユーザ端末の下りデータの復調に必要な補助情報を、該他のユーザ端末の復調補助情報と略称する。干渉除去を行ってから、ＵＥ１は、自局の下りデータの復調に必要な情報に基づいて、干渉除去後の信号を復調することにより、基地局から自局へ送信された下りデータを得ることができる。他のユーザ端末の復調補助情報と区別するために、あるユーザ端末が自局の下りデータを復調することに必要な情報を、該ユーザ端末の復調情報と呼ぶ。同様に、ＦＵＥ（ＵＥ２）にとって、ＮＵＥ（ＵＥ１）の下りデータの復調に必要な補助情報、即ち、ＮＵＥ（ＵＥ１）の復調補助情報を予め知ることができれば、ＵＥ２は、まず、干渉除去を行ってから、自局の復調情報に基づいて、干渉除去後の信号を復調することにより、基地局から自局へ送信された下りデータを得ることができる。もちろん、基地局は、ＮＵＥ（ＵＥ１）の下りデータを送信する際に使用した下り送信電力が小さかったが、ＦＵＥ（ＵＥ２）の下りデータを送信する際に使用した下り送信電力が大きかった。このため、ＵＥ２で受信された混合信号のうち、基地局からＮＵＥ（ＵＥ１）へ送信された下り信号の比重が小さい。この場合、ＦＵＥ（ＵＥ２）は、干渉除去を行わずに、基地局からＮＵＥ（ＵＥ１）へ送信された下りデータを雑音として、自局の下りデータを直接に復調してもよい。
【手続補正２】
【補正対象書類名】明細書
【補正対象項目名】００２９
【補正方法】変更
【補正の内容】
【００２９】
本発明の一実施例では、上記第２のＵＥの復調補助情報の長さは、第２のＵＥの数であってもよい。つまり、第２のＵＥの数がＮである場合、本ステップで決定された第２のＵＥの復調補助情報の長さは、Ｎである。
【手続補正３】
【補正対象書類名】明細書
【補正対象項目名】００３０
【補正方法】変更
【補正の内容】
【００３０】
本発明の他の実施例では、基地局は、まず、第２のＵＥをグループ分けし、グループ分けされた第２のＵＥのグループ数を第２のＵＥの復調補助情報の長さとする。つまり、第２のＵＥの数がＭであるが、グループ分けを経ると、Ｎ個（Ｎ≦Ｍ）のみのグループを得ると仮定すると、本ステップで決定された第２のＵＥの復調補助情報の長さは、Ｎである。本実施例における第２のＵＥの復調補助情報の長さを決定することは、具体的に、下記のようなステップを含んでもよい。
【手続補正４】
【補正対象書類名】明細書
【補正対象項目名】００４１
【補正方法】変更
【補正の内容】
【００４１】
加えて、前述したように、上記の本発明の実施例の方法では、さらに、下記の２つの技術的手段によって、シグナリングのオーバヘッドを減少してもよい。１番目の技術的手段は、第１のＵＥの復調情報にＲＡ情報を含めないことである。この場合、第１のＵＥは、受信された第２のＵＥのＲＡ情報から、第１のＵＥ自身のＲＡ情報を得ることができる。２番目の技術的手段は、第２のＵＥの復調補助情報に基づいて、第２のＵＥをグループ分けし、グループ分けされたグループ数を第２のＵＥの復調補助情報の長さとし、第２の下り制御メッセージの各フィールドに各グループの第２のＵＥの復調補助情報を搭載することである。この場合、第２の下り制御メッセージの長さは、第２のＵＥの数と関係があるのではなく、第２のＵＥのグループ数と関係がある。このように、上記の１番目の手段により、第１の下り制御メッセージの長さを減少することができ、上記の２番目の手段により、第２の下り制御メッセージの長さを減少することができ、シグナリングのオーバヘッドを減少するという目的が実現される。説明すべきものとして、実際の応用では、実際の状況の必要に応じて、上記の２つの技術的手段を独立して使用してもよいし、上記の２つの技術的手段を同時に使用し、即ち、最大限にシグナリングのオーバヘッドを減少してもよい。
【手続補正５】
【補正対象書類名】明細書
【補正対象項目名】００５１
【補正方法】変更
【補正の内容】
【００５１】
前述したように、本実施例で提供された下り制御情報の受信方法は、従来のプロトコルへの変更が少なく、さらに、シグナリングのオーバヘッドが小さくて、ＵＥの受信機の複雑度への要求が高くないなどの利点を有する。
【手続補正６】
【補正対象書類名】明細書
【補正対象項目名】００５４
【補正方法】変更
【補正の内容】
【００５４】
ステップ５０１で、ＵＥは、第１の下り制御メッセージを受信する。
ステップ５０２で、ＵＥは、受信された第１の下り制御メッセージから、自局の復調情報と、自局と対になる他のＵＥの復調補助情報の長さとを抽出する。
前述したように、本ステップで抽出された自局の復調情報には、自局のリソース割当情報が含まれない。
【手続補正７】
【補正対象書類名】明細書
【補正対象項目名】００６１
【補正方法】変更
【補正の内容】
【００６１】
ここから分かるように、基地局から送信された該ＵＥ自身の復調情報に該ＵＥのリソース割当情報が含まれないが、該ＵＥと対になる他のＵＥが実際に該ＵＥと同じ時間周波数リソースを使用しているので、該ＵＥと対になる他のＵＥのリソース割当情報が決定されると、該ＵＥのリソース割当情報を決定することができる。つまり、ＵＥは、第２の下り制御メッセージから、自局のリソース割当情報を決定することができる。例えば、ＵＥ１と対になるＵＥにＵＥ２およびＵＥ３が含まれる場合、第２の下り制御メッセージには、ＵＥ２およびＵＥ３のリソース割当情報が含まれる。このように、ＵＥ１は、第２の下り制御メッセージを受信すると、ＵＥ１と対になるＵＥ２およびＵＥ３に割り当てられた時間周波数リソースを決定することができ、これらのリソースを合併すると、基地局からＵＥ１自身に割り当てられた時間周波数リソースを決定することができる。
【手続補正８】
【補正対象書類名】明細書
【補正対象項目名】００６８
【補正方法】変更
【補正の内容】
【００６８】
図８は、本発明の実施例におけるユーザ端末（ＵＥ）を示す。図８に示すように、このユーザ端末は、主に、第１の下り制御メッセージおよび第２の下り制御メッセージを受信する受信手段８０１と、第１の下り制御メッセージから、前記ＵＥが前記ＵＥの下りデータを復調するための前記ＵＥの復調情報及び、前記ＵＥと対になるＵＥの復調補助情報の長さを抽出し、第２の下り制御メッセージから、前記ＵＥが前記ＵＥと対になるＵＥの下りデータを復調するための、前記ＵＥと対になるＵＥの復調補助情報を抽出する情報抽出手段８０２と、前記ＵＥと対になるＵＥの復調補助情報の長さに基づいて、第２の下り制御メッセージの長さを決定し、第２の下り制御メッセージの受信のために、決定された第２の下り制御メッセージの長さを受信手段８０１にフィードバックするメッセージ長さ決定手段８０３と、を備える。
【国際調査報告】
2019512182.tif 000011
2019512182.tif 000012
2019512182.tif 000013
2019512182.tif 000014